(57)【要約】【課題】スイッチ素子と、フロントパネルに設けられた操作釦との位置ずれを確実に防止し、しかもフロントパネルの組付け作業を簡略化できる記録再生装置を提供すること。【解決手段】ベースシャーシと、ベースシャーシの前方に取り付けられるフロントパネルと、フロントパネルの前面に設けられた操作釦と、操作釦により操作されるスイッチ素子と、スイッチ素子を保持するスイッチ基板を備えた記録再生装置において、基板ブラケットを介してスイッチ基板をベースシャーシに固定し、スイッチ素子を操作釦に対向させた。これにより、フロントパネルがベースシャーシ及び基板ブラケットに組み付けられることから、フロントパネルに設けられた操作釦とスイッチ素子を確実に対応させることができる。また、衝撃を受けたときもずれが両者の間に生じにくい。【選択図】    図３
2008090896.tif 000002
【特許請求の範囲】
【請求項１】
ベースシャーシと、該ベースシャーシの前方に組み付けられるフロントパネルと、該フロントパネルの前面に設けられた少なくとも１つの操作釦と、該操作釦に対応した位置に配されるスイッチ素子と、該スイッチ素子を前記フロントパネルの後方側で保持するスイッチ基板と、該スイッチ基板を固定させる箱形状の基板ブラケットとを備え、
前記ベースシャーシに前記基板ブラケットを固着し、該基板ブラケットに固定された前記スイッチ基板を介して、前記スイッチ素子を位置決めして支持することを特徴とした記録再生装置。
【請求項２】
基板ブラケットを、前板と、後板と、該前板と後板を上部で連結する天板からなる下向きに開口したコの字状に形成し、前記前板と後板の下端部をベースシャーシに固着したことを特徴とする請求項１に記載の記録再生装置。
【請求項３】
基板ブラケットは、先端に切り欠きを具えた鉤状の突片と、ねじ穴を有し、スイッチ基板を前記突片に差し入れ前記鉤状部分に係合させた上で、前記ねじ穴にねじ止めして固定することとした請求項１または２に記載の記録再生装置。
【請求項４】
フロントパネルに複数の係合片を設け、該係合片を、ベースシャーシの左右側壁と、基板ブラケットの天板に形成した組付け部に脱着自在に係合させて、該フロントパネルを前記ベースシャーシに組み付けることとした請求項１〜３のいずれか１項に記載の記録再生装置。
【発明の詳細な説明】
【技術分野】
【０００１】
この発明は、例えばＤＶＤレコーダーのような記録再生装置に関する。
【背景技術】
【０００２】
ＤＶＤレコーダーのような記録再生装置では、装置前面に取り付けられるフロントパネルに操作釦を配列させ、それら操作釦の裏側に、各操作釦に対応したスイッチ素子を設け、操作釦の押圧操作によりスイッチ素子を作動させるように構成することがある。
【０００３】
ところが、フロントパネルの裏面側にスイッチ基板を設け、スイッチ基板とフロントパネルとを単に対向させただけでは、操作釦とスイッチ素子との位置関係が十分に確保できない。そこで例えば、操作釦と、スイッチ基板と、それらを覆うブラケットを、フロントパネルの背面に一体にねじ止めした例などが知られている。
【特許文献１】特開平６−３０２９７８号公報
【発明の開示】
【発明が解決しようとする課題】
【０００４】
しかしながら上記特開平６−３０２９７８号公報に記載の構造では、フロントパネルにスイッチ基板その他をねじ止めにより固定する必要があり、ねじの数が多くなりフロントパネルの組み付け工程に手間がかかっていた。またスイッチ基板その他がフロントパネルに一体に組み付けられていることから、フロントパネルを本体部に接続させなければ本体の動作確認などが行えなかった。
【０００５】
フロントパネルは、製品の外観を形成する重要な部材であるので、本体部への取り付けは、ラインの最終工程において行うのが好ましいが、上述した構成では内部の動作や接続を確認するためにフロントパネルを組み付けた状態でラインを流す必要がある。したがって、作業途中で表面に傷つくおそれがあった。
【０００６】
仮に組み立て工程の途中でフロントパネルに傷が付いた場合には、フロントパネルを交換するにあたり、スイッチ基板、操作釦をフロントパネルから外し、新たなフロントパネルにスイッチ基板等を改めて取り付けなければならない。そして更に、フロントパネルを本体部に接続させ、再度基板等との接続確認をする必要があり、組み立て工程での手間がかかっていた。
【０００７】
一方、近年製品保証の観点から、フロントパネルの強度向上が要求されてきている。そこでフロントパネルを本体部から容易に着脱できる構成にした場合においても、落下試験等における衝撃でフロントパネルにずれが発生しない強固な構造が求められていた。
【０００８】
本発明は、スイッチ素子と、フロントパネルに設けられた操作釦との位置ずれ等を確実に防止でき、しかもフロントパネルの組み付け作業を簡略化できる記録再生装置を提供することを目的とする。
【課題を解決するための手段】
【０００９】
本発明の一つの形態にかかる記録再生装置は、ベースシャーシと、該ベースシャーシの前方に組み付けられるフロントパネルと、該フロントパネルの前面に設けられた少なくとも１つの操作釦と、該操作釦に対応した位置に配されるスイッチ素子と、該スイッチ素子を前記フロントパネルの後方側で保持するスイッチ基板と、該スイッチ基板を固定させる箱形状の基板ブラケットとを備え、前記ベースシャーシに前記基板ブラケットを固着し、該基板ブラケットに固定された前記スイッチ基板を介して、前記スイッチ素子を位置決めして支持している。
【発明の効果】
【００１０】
本発明によれば、ベースシャーシの所定の位置にスイッチ素子を確実に固定できる。スイッチ素子やスイッチ基板を取り外すことなく、フロントパネルをベースシャーシから容易に取り外すことができる。
【発明を実施するための最良の形態】
【００１１】
以下に本発明に係る記録再生装置の一つの実施形態について、図を参照して説明する。
【００１２】
記録再生装置１００の外観を、図６に示す。記録再生装置１００は、ＨＤＤ（ハードディスクドライブ）と、ＤＶＤドライブを備えた記録再生装置であり、図５に示すように、底部にベースシャーシ４を具え、ベースシャーシ４の上部にカバー部材６（図６参照）がねじ止めで取り付けてあり、前方にフロントパネル８が脱着自在に組み付けてある。
【００１３】
ベースシャーシ４は、金属製板材からなり、底板３２から垂直に折り曲げられた側壁３４を左右両側に有し、ベースシャーシ４の奥には、裏板（図示せず。）が取り付けられている。底板３２には、ＨＤＤ（ハードディスクドライブ）１０２、ＤＶＤドライブ１０４、その他基板、機器類が搭載してある。
【００１４】
底板３２は、前端部分が断面コノ字状に折り曲げてあり、折り曲げられて形成された上部板材３８にねじ穴４０が設けてある。側壁３４は、カバー部材６を固定するためのねじ穴４２を具え、前方に、フロントパネル８が組み付く組付き部３６を有している。
【００１５】
カバー部材６は、金属板で下向きに開口したコノ字状に形成してあり、ベースシャーシ４に上方からかぶせた後、側壁３４に設けられたねじ穴４２にねじ止めで固定する。
【００１６】
フロントパネル８は、樹脂製で、前面の左方にＤＶＤの記録媒体が出し入れされるトレイ取出し口５０が設けてあり、右方に操作釦２０が複数設けてある。またフロントパネル８は、前面上半部に、ＬＥＤ６０や発光ディスプレイ６２（図５参照）からの光を透過させる透光板６４が設けてあり、下半部に開閉蓋６６が開閉自在に取り付けてある。
【００１７】
更にフロントパネル８の後方には、左右両側に係合片９が形成してあり、上面に係合片１１が形成してあり、カバー部材６を固定したベースシャーシ４の前方に、これら係合片９を介して組み付けられる。
【００１８】
操作釦２０は樹脂製で、裏面に、操作釦２０の後方に延びる押圧竿２５が設けてあり、複数の操作釦２０が支持部材２４とともに一体に成形してある。支持部材２４は、図２に示すようにフロントパネル８の裏面に固着してある。これにより、各操作釦２０は、図５、図６等に示すようにフロントパネル８の前面に押圧面２３を露出させた状態で、支持部材２４を介してフロントパネル８に揺動自在に取り付けられており、フロントパネル８の前面側から押圧面２３を押圧すると操作釦２０はフロントパネル８の奥に移動して、押圧竿２５が後述するスイッチ素子２６を押圧する。
【００１９】
スイッチ基板１２は、図５にも示すように表面にスイッチ素子２６、ＬＥＤ６０、発光ディスプレイ６２等が取り付けられている。スイッチ素子２６は、押圧作動スイッチであり、操作釦２０に対応して配置してある。すなわち、各スイッチ素子２６は、図１に示すように操作釦２０の押圧竿２５の先端に対応して配置してあり、操作釦２０が押圧されて押圧竿２５が記録再生装置１００の奥に向かって移動するとＯＮ、ＯＦＦ等のスイッチ操作がなされる。スイッチ基板１２は、後述する基板ブラケット１０にねじ２７でねじ止めしてある。
【００２０】
基板ブラケット１０は、金属製の板材からなり、図４に示すように上部を矩形に屈曲させ、天板１７で連結された前板１３と後板１５をほぼ平行に具えた形状となっている。前板１３の左右には、前板１３の両端を後方に屈曲させて形成した縦長の側壁１９が設けてある。前板１３の前面には、スイッチ基板１２に差し入れる突片２８と、ねじ穴３３が形成してある。突片２８は、スイッチ基板１２の厚みと同等の幅の切り欠きを有し、先端が鉤状に形成されている。後板１５は、前板１３の横幅より短く形成されている。
【００２１】
側壁１９の双方の下端と、前板１３の中程の下端と、後板１５の下端には図２、図４に示すようにねじ穴３０が形成してあり、図３に示すように側壁１９のねじ穴３０、及び前板１３の中程のねじ穴３０とベースシャーシ４のねじ穴４０が、また後板１５のねじ穴３０とねじ穴４１がそれぞれねじ２７でねじ止めされる。天板１７には、上方に湾曲させた組付き部２９が形成してある。組付き部２９は、フロントパネル８をベースシャーシ４に組み付けると係合片１１と組み付けられる。
【００２２】
図１に、基板ブラケット１０を介してスイッチ基板１２をベースシャーシ４に組み付け、更にフロントパネル８をベースシャーシ４に組み付けた状態を示す。
【００２３】
図１に示すように、基板ブラケット１０は、前板１３のねじ穴３０と後板１５のねじ穴３０を用いてベースシャーシ４に固定されている。また、スイッチ基板１２は、突片２８とねじ穴３３を用いて基板ブラケット１０に固定されている。更にフロントパネル８は、係合片９と組付き部３６、及び係合片１１と組付き部２９が嵌合してベースシャーシ４に組み付けられている。
【００２４】
これにより、操作釦２０は、スイッチ素子２６の前面に、所定の間隙を有して、正確に位置付けられる。またフロントパネル８は、ベースシャーシ４に、強固に、かつ脱着自在に連結され、少しの衝撃を受けた場合でもフロントパネル８にずれが生じることがなく、操作釦２０がスイッチ素子２６の位置からずれることがない。
【００２５】
またフロントパネル８は、操作釦２０が取り付けてあるだけであることから、図３に示すようにベースシャーシ４の組み付きから容易に取り外すことができる。このようにフロントパネル８をベースシャーシ４の組み付きから外した状態でも、スイッチ素子２６はベースシャーシ４に接続しているので、スイッチ素子２６を操作して、記録再生装置１００を作動させ、接続試験や動作確認を行わせることができる。したがって、記録再生装置１００の製造工程において、後半の工程でフロントパネル８をベースシャーシ４に組み付けるようにできる。また仮に、組み付けした後にフロントパネル８に傷がつき交換する場合においても、スイッチ基板１２等をフロントパネル８から取り外す必要がなく、フロントパネル８を容易に交換できる。
【００２６】
スイッチ基板１２が、ベースシャーシ４に固定されるので、スイッチ素子２６の配線接続が容易となる。スイッチ基板１２が基板ブラケット１０に強固に固定されているので、操作釦２０を操作する外力などによって、スイッチ素子２６が移動されることがない。
【００２７】
基板ブラケット１０は、矩形（箱形状）に形成してあることから、機械的強度が高く、押圧力を受けても容易に変形しない。したがって、スイッチ基板１２を長期間安定して保持でき、操作釦２０との位置ずれを起こさない。しかも、フロントパネル８が基板ブラケット１０に係合しているので、フロントパネル８の耐衝撃性を大きくできる。
【図面の簡単な説明】
【００２８】
【図１】本発明の一実施形態に係る記録再生装置の部分断面図。
【図２】図１に示された記録再生装置の実施形態を示す部分断面図。
【図３】図１に示された記録再生装置の実施形態を示す部分断面図。
【図４】基板ブラケットを示す斜視図。
【図５】記録再生装置を示す部分分解斜視図。
【図６】記録再生装置を示す斜視図。
【符号の説明】
【００２９】
４…ベースシャーシ  ６…カバー部材  ８…フロントパネル  ９…係合片  １０…基板ブラケット  １１…係合片  １２…スイッチ基板  １３…前板  １５…後板  １７…天板  １９…側壁  ２０…操作釦  ２５…操作竿  ２６…スイッチ素子  ２９…組付け部  ３４…側壁  ３６…組付け部  １００…記録再生装置  １０２…ＨＤＤ  １０４…ＤＶＤドライブ
【図１】
2008090896.tif 000003
【図２】
2008090896.tif 000004
【図３】
2008090896.tif 000005
【図４】
2008090896.tif 000006
【図５】
2008090896.tif 000007
【図６】
2008090896.tif 000008